(57)【要約】      （修正有）【課題】タイヤが跳ね上げた水しぶきの飛散を抑制する車両用水しぶき飛散防止装置において、軽量化を図り、強度の信頼性を確保しつつ、コストも抑制することができる車両用水しぶき飛散抑制装置を提供する。【解決手段】車両に設けられた車輪の後方に配置され、車両の走行中に車輪が跳ね上げる水の飛散を抑制する車両用水しぶき飛散抑制装置１であって、車輪の後方に配置され、少なくとも車輪の車輪幅以上の幅を備え、表面に飛散抑制構造が形成された飛散抑制板９と、飛散抑制板９の後方で、車幅方向において飛散抑制板９の少なくとも一部を覆い、かつ、飛散抑制板９より車幅方向内側に突出するように配置される樹脂製エプロン１１と、を含む。【選択図】図１
2019010971.tif 000002
【特許請求の範囲】
【請求項１】
車両に設けられた車輪の後方に配置され、前記車両の走行中に前記車輪が跳ね上げる水の飛散を抑制する車両用水しぶき飛散抑制装置であって、
前記車輪の後方に配置され、少なくとも前記車輪の車輪幅以上の幅を備え、表面に飛散抑制構造が形成された飛散抑制板と、
前記飛散抑制板の後方で、車幅方向において前記飛散抑制板の少なくとも一部を覆い、かつ、前記飛散抑制板より車幅方向内側に突出するように配置される樹脂製エプロンと、
を含む、車両用水しぶき飛散抑制装置。
【発明の詳細な説明】
【技術分野】
【０００１】
本発明は、マッドガードに装着される車両用水しぶき飛散防止装置に関する。
【背景技術】
【０００２】
例えば、下記特許文献１に開示されるように、マッドガードに装着され、表面に飛散抑制構造を備える車両用水しぶき飛散防止装置により、車輪が跳ね上げる水の飛散を抑制することができるものが知られている。
【先行技術文献】
【特許文献】
【０００３】
【特許文献１】特開２０１４−１０８７７９号公報
【発明の概要】
【発明が解決しようとする課題】
【０００４】
しかしながら、表面に飛散抑制構造を備える車両用水しぶき飛散抑制装置は、コストが高い。さらに、走行中に車輪が跳ね上げる水跳ねや飛び石等による入力に対する耐衝撃強度が低い。また、積雪路走行時等は積雪が表面に付着することにより重量が増加し、ブラケットの接続信頼性も悪化する虞がある。
【０００５】
本発明はこのような課題に鑑みてなされたものであり、その目的とするところは、タイヤが跳ね上げた水しぶきの飛散を抑制する車両用水しぶき飛散防止装置において、軽量化を図り、強度の信頼性を確保しつつ、コストも抑制することができる車両用水しぶき飛散抑制装置を提供することにある。
【課題を解決するための手段】
【０００６】
本発明は、以下の適用例として実現することができる。本適用例に係る車両用水しぶき飛散防止装置は、車両に設けられた車輪の後方に配置され、前記車両の走行中に前記車輪が跳ね上げる水の飛散を抑制する車両用水しぶき飛散抑制装置であって、前記車輪の後方に配置され、少なくとも前記車輪の車輪幅以上の幅を備え、表面に飛散抑制構造が形成された飛散抑制板と、前記飛散抑制板の後方で、車幅方向において前記飛散抑制板の少なくとも一部を覆い、かつ、前記飛散抑制板より車幅方向内側に突出するように配置される樹脂製エプロンと、を含む。
【０００７】
本適用例に係る車両用水しぶき飛散防止装置は、従来の車両用水しぶき飛散防止装置より飛散抑制板の使用量を減らし、当該飛散抑制板の代わりに樹脂製エプロンを使用している。これにより、タイヤが跳ね上げた水しぶきの飛散を抑制する車両用水しぶき飛散防止装置において、軽量化を図り、強度の信頼性を確保しつつ、コストも抑制することができる。
【図面の簡単な説明】
【０００８】
【図１】本発明の一実施形態に係る車両用水しぶき飛散防止装置を示す斜視図である。
【図２】図１に示すα方向から見た車両用水しぶき飛散防止装置を示す斜視図である。
【発明を実施するための形態】
【０００９】
以下、本発明の一実施形態について、図面を参照して説明する。
【００１０】
図１は、本発明の一実施形態に係る車両用水しぶき飛散防止装置１を示す斜視図である。図２は、図１に示すα方向から見た車両用水しぶき飛散防止装置１を示す斜視図である。なお、図２では、本実施形態に係る車両用水しぶき飛散防止装置１における主要構成の視認性を向上させるため、後述するブラケット５，７を省略している。
【００１１】
図１および図２に示す車両用水しぶき飛散防止装置１は、車両の走行中に車輪が跳ね上げる水の飛散を抑制し、車輪が跳ね上げる水や飛び石等から車両を保護するものである。車両用水しぶき飛散防止装置１は、車輪の一部を覆うように車体に取り付けられるマッドガード（泥除け）３の一部に、ボルト等により取り付けられる。車幅方向における車両用水しぶき飛散防止装置１の幅ｗ１は、車幅方向におけるマッドガード３の幅ｗ２と略一致する。マッドガード３は、ブラケット５，７等により車体に取り付けられる。マッドガード３は、例えば、ウレタンまたはポリエチレン等の樹脂からなる。
【００１２】
本実施形態に係る車両用水しぶき飛散防止装置１は、飛散抑制板９と、エプロン１１とを含んでいる。飛散抑制板９は、車両の走行中に車輪が跳ね上げる水の飛散を抑制するための板である。飛散抑制板９は、当該車輪の後方に配置される。本実施形態における車輪の後方とは、例えば、車輪の前後方向における延長線上に、所定の間隔を隔てた位置のことである。飛散抑制板９の表面には、水の飛散を抑制する飛散抑制構造が形成されている。上記飛散抑制構造には公知の飛散抑制構造が採用される。例えば、飛散抑制板９の車輪と対向する面に一様に並べられた複数の突起、または複数の溝である。複数の突起は、例えば、円柱形状、または角柱形状等を有している。複数の溝は、例えば、すりばち形状等を有している。本実施形態における飛散抑制板９は、車輪が跳ね上げる水の飛散を抑制するために必要な幅を有している。例えば、車幅方向における飛散抑制板９の幅ｗ３は、少なくとも車輪の車輪幅以上である。飛散抑制板９は、マッドガード３と同様に、例えば、ウレタンまたはポリエチレン等の樹脂からなる。
【００１３】
エプロン１１は、車輪が跳ね上げる水や飛び石等から車両を保護するためのシートである。エプロン１１の単位面積当たりの重量は、上記飛散抑制板９の単位面積当たりの重量より軽い。また、エプロン１１は、上記飛散抑制板９より低コストで製造できる。エプロン１１は、当該飛散抑制板９の後方に配置される。エプロン１１は、車幅方向において飛散抑制板９を少なくとも一部を覆うように取り付けられる。例えば、図２に示すように、エプロン１１により、車幅方向において飛散抑制板９をすべて覆うようにしてもよい。
【００１４】
また、エプロン１１は、飛散抑制板９より車幅方向内側に突出するように配置される。車幅方向におけるエプロン１１の突出幅ｗ４は、泥跳ね要件等で適宜設定される。ここで、泥跳ね要件とは、例えば、車輪と飛散抑制板９とエプロン１１との相対的位置関係、車両の走行速度、車輪幅および車幅方向における車輪が跳ね上げる水や飛び石等の飛行角度（扇角）等、泥跳ねに関する条件のことである。エプロン１１は、例えば、ポリエチレンまたはゴム等の樹脂からなる。
【００１５】
ここで、車高方向における、飛散抑制板９およびエプロン１１の長さは、泥跳ね要件や法規等で適宜設定されてもよい。具体的に、飛散抑制板９およびエプロン１１の長さは、車輪の接地面を基準とする、所定の走行速度において車輪が跳ね上げる水や飛び石の飛行角度（仰角）に応じて最短となるように設定してもよい。
【００１６】
上記説明の通り、本実施形態に係る車両用水しぶき飛散防止装置１は、飛散抑制板９と、エプロン１１とを含んでいる。飛散抑制板９は、車輪の後方に配置され、少なくとも車輪の車輪幅以上の幅を備え、表面に飛散抑制構造が形成される。エプロン１１は、飛散抑制板９の後方で、車幅方向において飛散抑制板９を少なくとも一部を覆い、かつ、飛散抑制板９より車幅方向内側に突出するように配置される。
【００１７】
上記構成によれば、本実施形態に係る車両用水しぶき飛散防止装置１は、従来の車両用水しぶき飛散防止装置より飛散抑制板９の使用量を減らし、当該飛散抑制板９の代わりにエプロン１１を使用している。これにより、車両用水しぶき飛散防止装置１は、必要な水の飛散抑制機能を保ちつつ、軽量化を図ることができる。
【００１８】
また、飛散抑制板９は、エプロン１１と比べてコストがかかる。本実施形態に係る車両用水しぶき飛散防止装置１は、飛散抑制板９の使用量を減らしているため、従来の車両用水しぶき飛散防止装置よりコストを削減することができる。
【００１９】
また、従来の車両用水しぶき飛散防止装置では、走行中に車輪が跳ね上げる水跳ねや飛び石等による入力に対する耐衝撃強度が低い。また、飛散抑制板９は、表面に飛散抑制構造が形成されるため、積雪路走行時等に雪が付着しやすい。これにより、従来の車両用水しぶき飛散防止装置は、雪の付着による重量の増加によって、ブラケット５，７が破損しやすくなり、強度の信頼性が悪化する虞がある。
【００２０】
一方、本実施形態に係る車両用水しぶき飛散防止装置１は、飛散抑制板９の使用量の削減による軽量化により、上記入力に対する耐衝撃強度、および雪が付着した場合におけるブラケットの強度を向上することができる。これにより、本実施形態に係る車両用水しぶき飛散防止装置１は、従来の車両用水しぶき飛散防止装置より強度の信頼性を向上することができる。
【００２１】
かくして、本実施形態に係る車両用水しぶき飛散防止装置１は、軽量化を図り、強度の信頼性を確保しつつ、コストも抑制することができる。
【符号の説明】
【００２２】
１  車両用水しぶき飛散防止装置
３  マッドガード
５，７  ブラケット
９  飛散抑制板
１１  エプロン
【図１】
2019010971.tif 000003
【図２】
2019010971.tif 000004